【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
申込者の端末装置から送信されるサービス利用の申し込みに必要なデータに基づいてサービス利用の申込登録を行うシステムにおいて、
前記端末装置が有する第１の送信手段から送信された識別用コード画像で表現される特定情報、サービス利用に必要な証明書データ及びサービス利用の申込データを受信する第１の受信手段と、
前記第１の受信手段が受信した前記証明書データが所定のルールに適合するか否かにより偽造の疑いがあるか否かを判定する真偽判定手段と、
前記第１の受信手段が受信した前記特定情報、前記証明書データ及び前記申込データを申込情報として記憶する申込情報記憶手段と、
前記真偽判定手段が判定した偽造の疑いがあるか否かの判定結果、前記証明書データ及び前記申込データを送信する第２の送信手段と
を備えた申込登録サーバーと、
前記第２の送信手段から送信された前記判定結果、前記証明書データ及び前記申込データを受信する第２の受信手段と、
前記第２の受信手段が受信した前記判定結果、前記証明書データ及び前記申込データについて、確認判断者が、前記判定結果を参考にしながら、前記証明書データ及び前記申込データが不正なものかを確認できるように前記判定結果、前記証明書データ及び前記申込データを表示する表示手段と、
を備えた申込データ確認装置と、
を備えたことを特徴とするサービス利用申込登録システム。
【請求項２】
前記申込データ確認装置は、前記第２の受信手段が受信した前記申込データから前記確認判断者により選択された申込データを削除する申込データ削除手段と、前記第２の受信手段が受信した前記申込データであって前記申込データ削除手段が削除しない前記申込データを記憶する真正申込データ記憶手段と、該真正申込データ記憶手段に記憶された前記申込データに基づいてカード発行データを生成するカード発行データ生成手段をさらに備えたことを特徴とする請求項１記載のサービス利用申込登録システム。
【請求項３】
前記識別用コード画像は、二次元コード画像であることを特徴とする請求項１又は請求項２記載のサービス利用申込登録システム。
【請求項４】
前記サービス利用は、口座開設、クレジットカードの利用、ローンカードの利用のいずれかであることを特徴とする請求項１乃至請求項３のいずれかに記載したサービス利用申込登録システム。
【請求項５】
申込者の端末装置から送信されるサービス利用の申し込みに必要なデータに基づいてサービス利用の申込登録を行うシステムにおいて、
申込登録サーバーが有する第２の送信手段から送信されたサービス利用に必要な証明書データ、該証明書データが所定のルールに適合するか否かにより偽造の疑いがあるか否かの判定結果及びサービス利用の申込データを受信する第２の受信手段と、
前記第２の受信手段が受信した前記判定結果、前記証明書データ及び前記申込データについて、確認判断者が、前記判定結果を参考にしながら、前記証明書データ及び前記申込データが不正なものかを確認できるように前記判定結果、前記証明書データ及び前記申込データを表示する表示手段と、
前記第２の受信手段が受信した前記申込データから前記確認判断者により選択された申込データを削除する申込データ削除手段と、
前記第２の受信手段が受信した前記申込データであって前記申込データ削除手段が削除しない前記申込データを記憶する真正申込データ記憶手段と
を備えたことを特徴とする申込データ確認装置。
【請求項６】
前記真正申込データ記憶手段に記憶された前記申込データに基づいてカード発行データを生成するカード発行データ生成手段をさらに備えたことを特徴とする請求項５記載の申込データ確認装置。
【請求項７】
前記申込データ削除手段が削除した申込データを前記申込登録サーバーに送信する送信手段をさらに備えたことを特徴とする請求項５又は請求項６記載の申込データ確認装置。
【請求項８】
申込者の端末装置から送信されるサービス利用の申し込みに必要なデータに基づいてサービス利用の申込登録を行うシステムにおいて、
前記端末装置が有する第１の送信手段から送信された識別用コード画像で表現される特定情報、サービス利用に必要な証明書データ及びサービス利用の申込データを受信する第１の受信手段と、
前記第１の受信手段が受信した前記証明書データが所定のルールに適合するか否かにより偽造の疑いがあるか否かを判定する真偽判定手段と、
前記第１の受信手段が受信した前記特定情報、前記証明書データ及び前記申込データを申込情報として記憶する申込情報記憶手段と、
前記真偽判定手段が判定した偽造の疑いがあるか否かの判定結果、前記証明書データ及び前記申込データを、前記証明書データ及び前記申込データが不正なものかを確認する申込データ確認装置に送信する第２の送信手段と、
前記申込データ確認装置が削除した前記申込データを削除申込データとして受信する受信手段と、
前記受信手段が受信した削除申込データに基づいて、前記申込情報記憶手段に記憶された前記申込情報を更新する申込情報更新手段と
を備えたことを特徴とする申込登録サーバー。
【手続補正２】
【補正対象書類名】明細書
【補正対象項目名】０００６
【補正方法】変更
【補正の内容】
【０００６】
本発明は、申込者の端末装置から送信されるサービス利用の申し込みに必要なデータに基づいてサービス利用の申込登録を行うシステムにおいて、前記端末装置が有する第１の送信手段から送信された識別用コード画像で表現される特定情報、サービス利用に必要な証明書データ及びサービス利用の申込データを受信する第１の受信手段と、前記第１の受信手段が受信した前記証明書データが所定のルールに適合するか否かにより偽造の疑いがあるか否かを判定する真偽判定手段と、前記第１の受信手段が受信した前記特定情報、前記証明書データ及び前記申込データを申込情報として記憶する申込情報記憶手段と、前記真偽判定手段が判定した偽造の疑いがあるか否かの判定結果、前記証明書データ及び前記申込データを送信する第２の送信手段とを備えた申込登録サーバーと、前記第２の送信手段から送信された前記判定結果、前記証明書データ及び前記申込データを受信する第２の受信手段と、前記第２の受信手段が受信した前記判定結果、前記証明書データ及び前記申込データについて、確認判断者が、前記判定結果を参考にしながら、前記証明書データ及び前記申込データが不正なものかを確認できるように前記判定結果、前記証明書データ及び前記申込データを表示する表示手段と、前記第２の受信手段が受信した前記申込データから前記確認判断者により選択された申込データを削除する申込データ削除手段とを備えた申込データ確認装置とを備えたサービス利用申込登録システムを提供して、上記課題を解決するものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明は、前記申込データ確認装置は、前記第２の受信手段が受信した前記申込データから前記確認判断者により選択された申込データを削除する申込データ削除手段と、前記第２の受信手段が受信した前記申込データであって前記申込データ削除手段が削除しない前記申込データを記憶する真正申込データ記憶手段と、該真正申込データ記憶手段に記憶された前記申込データに基づいてカード発行データを生成するカード発行データ生成手段をさらに備えたサービス利用申込登録システムとすることができる。
【手続補正６】
【補正対象書類名】明細書
【補正対象項目名】００１２
【補正方法】変更
【補正の内容】
【００１２】
本発明は、申込者の端末装置から送信されるサービス利用の申し込みに必要なデータに基づいてサービス利用の申込登録を行うシステムにおいて、申込登録サーバーが有する第２の送信手段から送信されたサービス利用に必要な証明書データ、該証明書データが所定のルールに適合するか否かにより偽造の疑いがあるか否かの判定結果及びサービス利用の申込データを受信する第２の受信手段と、前記第２の受信手段が受信した前記判定結果、前記証明書データ及び前記申込データについて、確認判断者が、前記判定結果を参考にしながら、前記証明書データ及び前記申込データが不正なものかを確認できるように前記判定結果、前記証明書データ及び前記申込データを表示する表示手段と、前記第２の受信手段が受信した前記申込データから前記確認判断者により選択された申込データを削除する申込データ削除手段と、前記第２の受信手段が受信した前記申込データであって前記申込データ削除手段が削除しない前記申込データを記憶する真正申込データ記憶手段とを備えた申込データ確認装置とすることができる。
【手続補正７】
【補正対象書類名】明細書
【補正対象項目名】００１３
【補正方法】変更
【補正の内容】
【００１３】
本発明は、前記真正申込データ記憶手段に記憶された前記申込データに基づいてカード発行データを生成するカード発行データ生成手段をさらに備えた申込データ確認装置とすることができる。
【手続補正８】
【補正対象書類名】明細書
【補正対象項目名】００１４
【補正方法】変更
【補正の内容】
【００１４】
本発明は、前記申込データ削除手段が削除した申込データを前記申込登録サーバーに送信する送信手段をさらに備えた申込データ確認装置とすることができる。
【手続補正９】
【補正対象書類名】明細書
【補正対象項目名】００１５
【補正方法】変更
【補正の内容】
【００１５】
本発明は、申込者の端末装置から送信されるサービス利用の申し込みに必要なデータに基づいてサービス利用の申込登録を行うシステムにおいて、前記端末装置が有する第１の送信手段から送信された識別用コード画像で表現される特定情報、サービス利用に必要な証明書データ及びサービス利用の申込データを受信する第１の受信手段と、前記第１の受信手段が受信した前記証明書データが所定のルールに適合するか否かにより偽造の疑いがあるか否かを判定する真偽判定手段と、前記第１の受信手段が受信した前記特定情報、前記証明書データ及び前記申込データを申込情報として記憶する申込情報記憶手段と、前記真偽判定手段が判定した偽造の疑いがあるか否かの判定結果、前記証明書データ及び前記申込データを前記証明書データ及び前記申込データが不正なものかを確認する申込データ確認装置に送信する第２の送信手段と、前記申込データ確認装置が削除した前記申込データを削除申込データとして受信する受信手段と、前記受信手段が受信した削除申込データに基づいて、前記申込情報記憶手段に記憶された前記申込情報を更新する申込情報更新手段とを備えた申込登録サーバーとすることができる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】